(57)【要約】【課題】ファンモータの駆動に伴う騒音の発生を抑制できるＡＶ機器を提供する。【解決手段】ＡＶ機器１は、筐体１０と、筐体１０内に配置される電源部Ｐと、電源部Ｐで発生する熱を排気するためのファンモータ３４と、筐体の背面部１０１ａから外部へと突出する端子部２６と、筐体１０の上部と電源部Ｐとの間に配置される絶縁体３１とを備える。ファンモータ３４は、筐体の背面部１０１ａに対向すると共にファンの回転軸となる軸部が筐体の背面部１０１ａと略直交するように、絶縁体３１に取り付けられている。【選択図】図３
2012238351.tif 000002
【特許請求の範囲】
【請求項１】
筐体と、
前記筐体内に配置される電源部と、
前記電源部で発生する熱を排気するためのファンモータと、
前記筐体の背面部から外部へと突出する端子部と、
を備えるＡＶ機器において、
前記筐体の上部と前記電源部との間に配置される絶縁体を更に備え、
前記ファンモータは、前記筐体の背面部に対向すると共にファンの回転軸となる軸部が前記筐体の背面部と略直交するように、前記絶縁体に取り付けられることを特徴とするＡＶ機器。
【請求項２】
前記ファンモータと前記筐体の背面部との間には隙間が設けられることを特徴とする請求項１に記載のＡＶ機器。
【請求項３】
前記絶縁体は、断面視略Ｌ字状の樹脂部材であることを特徴とする請求項１又は２に記載のＡＶ機器。
【請求項４】
前記ファンモータは、前記絶縁体にビス留めされることを特徴とする請求項１から３のいずれかに記載のＡＶ機器。
【発明の詳細な説明】
【技術分野】
【０００１】
本発明はＡＶ（Audio-Visual）機器に関し、より詳細にはＡＶ機器における騒音対策に関する。
【背景技術】
【０００２】
従来、ＡＶ機器は、例えば電源部で発生する熱等の内部の熱を排気するために冷却用のファンを備えるのが一般的である（例えば特許文献１や２参照）。そして、この冷却用のファンは、機器内部で発生した熱を背面から排気できるように、その取り付け位置が決定されるのが一般的である。
【０００３】
ＡＶ機器が光ディスクの再生及び／又は記録を行う光ディスク装置である場合を例に挙げると、筐体の背面部（リアパネル）に排気孔を設け、この排気孔が設けられる位置に対応させてファンモータがリアパネルに直接取り付けられることがあった。
【先行技術文献】
【特許文献】
【０００４】
【特許文献１】特開平１１−３３８３７２号公報
【特許文献２】特開平１０−２３３９７９号公報
【発明の概要】
【発明が解決しようとする課題】
【０００５】
ところで、近年においては、光ディスク装置の小型化・薄型化が要求されることが多い。光ディスク装置を薄型化する場合、リアパネルに直接取り付けられるファンモータについても小型化が要求される。ファンモータが小型化される場合、光ディスク装置の筐体内部を確実に冷却するためには、モータ回転数を大きくする必要がある。この結果、薄型化に対応したリアパネルに内部冷却用のファンモータを直接取り付けた場合、リアパネルに大きな振動が発生し易くなる。
【０００６】
リアパネルはコスト面の利点から板金部材で構成されるのが通常である。また、光ディスク装置においては、映像信号や音声信号等の電気信号をやりとりするためのジャック端子が、外部に向けてリアパネルから突出している。このために、リアパネルに上述のような大きな振動が発生すると、リアパネルとジャック端子とが触れ合ってノイズ音が発生するという問題が生じる。
【０００７】
以上の点に鑑みて、本発明の目的は、ファンモータの駆動に伴う騒音の発生を抑制できるＡＶ機器を提供することである。
【課題を解決するための手段】
【０００８】
上記目的を達成するために本発明は、筐体と、前記筐体内に配置される電源部と、前記電源部で発生する熱を排気するためのファンモータと、前記筐体の背面部から外部へと突出する端子部と、を備えるＡＶ機器において、前記筐体の上部と前記電源部との間に配置される絶縁体を更に備え、前記ファンモータは、前記筐体の背面部に対向すると共にファンの回転軸となる軸部が前記筐体の背面部と略直交するように、前記絶縁体に取り付けられる構成（第１の構成）となっている。
【０００９】
本構成では、ファンモータは筐体に直接取り付けられず、絶縁体に取り付けられる構成となっている。このために、ファンモータの駆動による筐体（の背面部）の振動が原因となって、筐体とジャック端子とが触れ合う可能性を低減できる。すなわち、本構成によれば、ファンモータの駆動に伴う騒音の発生を抑制できる。また、本構成では、筐体の上部と電源部との間の電気的な絶縁を確保するための絶縁体を利用してファンモータの駆動に伴う騒音を抑制する構成である。すなわち、本構成におれば、騒音対策のために、別途ファンモータ用のホルダを設ける必要がないので、ＡＶ機器の低コスト化を図れる。
【００１０】
上記第１の構成のＡＶ機器において、前記ファンモータと前記筐体の背面部との間には隙間が設けられる構成（第２の構成）とするのが好ましい。これにより、ファンモータの駆動に伴って筐体（の背面部）が振動する可能性を、より効果的に抑制することが可能になる。すなわち、本構成によれば、ファンモータの駆動に伴う騒音の発生をより効果的に抑制できる。
【００１１】
上記第１又は第２の構成のＡＶ機器において、前記絶縁体は、断面視略Ｌ字状の樹脂部材である構成（第３の構成）とするのが好ましい。本構成によれば、絶縁体におけるファンモータの取り付け構造が得やすくなる。
【００１２】
上記第１から第３のいずれかの構成のＡＶ機器において、前記ファンモータは、前記絶縁体にビス留めされる構成とするのが好ましい。ファンモータは場合によっては、嵌め込みのみによって絶縁体に取り付けられてもよい。ただし、本構成のようにビス留めすることで、絶縁体に確実に固定でき、ファンモータの駆動に伴う騒音の発生を効果的に抑制できる。
【発明の効果】
【００１３】
本発明によれば、ファンモータの駆動に伴う騒音の発生を抑制できるＡＶ機器を提供できる。本発明は、光ディスクの再生及び／又は記録を行う光ディスク装置に好適である。
【図面の簡単な説明】
【００１４】
【図１】本発明の実施形態に係る光ディスク装置の外観構成を示す概略斜視図
【図２】本実施形態に係る光ディスク装置を、筐体を構成するカバーを取り外して上側から見た場合の模式図
【図３】本実施形態に係る光ディスク装置が備える電源カバーの構成を説明するための図
【図４】本実施形態に係る光ディスク装置が備える電源カバーを構成する上カバーについて説明するための図
【図５】本実施形態に係る光ディスク装置が備えるシャーシのリアパネルに設けられる排気孔の構成を示す概略図
【発明を実施するための形態】
【００１５】
以下、本発明が適用されたＡＶ機器の実施形態について、図面を参照しながら詳細に説明する。なお、ここでは、ＡＶ機器が光ディスクの再生及び記録を行う光ディスク装置（光ディスクレコーダ）である場合を例に説明する。光ディスク装置が対象とする光ディスクとしては、例えばブルーレイディスク（ＢＤ）やデジタル多用途ディスク（ＤＶＤ）等が挙げられる。
【００１６】
図１は、本発明の実施形態に係る光ディスク装置１の外観構成を示す概略斜視図である。光ディスク装置１は、略直方体形状の筐体１０を備える。この筐体１０は、本発明の筐体の一例である。光ディスク装置１においては、光ディスクはトレイ（図示せず）に載置された状態で筐体１０内に挿入される。そして、筐体１０の前面側には、このトレイの出し入れを可能とするトレイ出し入れ部１１が設けられている。
【００１７】
その他、筐体１０の前面側には、例えば時刻や光ディスク装置の動作状態等を表示する表示部１２や、光ディスク装置１のオンオフを行う電源スイッチ１３等が設けられている。また、筐体１０の背面側には、商用電源から光ディスク装置１へと電力を供給するための電源用コード１４が取り付けられている。
【００１８】
光ディスク装置１の筐体１０は、略箱形状のシャーシと、シャーシの開口部を覆うカバーと、を備える構成となっている。シャーシ及びカバーはいずれも板金部材によって形成される。
【００１９】
図２は、本実施形態に係る光ディスク装置１を、筐体１０を構成するカバーを取り外して上側から見た場合の模式図である。図２に示すように、筐体１０を構成するシャーシ１０１には、第１の基板２１と、第２の基板２２と、第３の基板２３と、光ディスクドライブ２４と、ハードディスクドライブ（ＨＤＤ）２５と、が載置される。
【００２０】
第１の基板２１は、電源コード１４を介して商用電源と接続され、電源部品が搭載される電源部Ｐを備える。この電源部Ｐは本発明の電源部の一例である。この第１の基板２１を介して、光ディスクドライブ２４やＨＤＤ２５等に電力が供給される。第１の基板２１上に示した破線枠は、１次側電源部品が載置される場所を模式的に示したものである。また、第１の基板２１上に示した一点鎖線枠は２次側電源部品が載置される場所を模式的に示したものである。
【００２１】
なお、電源部Ｐのうち、１次側の電源部品が配置される部分には、電気的な絶縁を確保する等の目的のために、詳細は後述する電源カバーが取り付けられる。なお、図２においては、この電源カバーは省略されている。
【００２２】
第２の基板２２は、映像や音声を再現するデジタル信号処理が行えるように設けられた基板（デジタル基板）である。第２の基板２２は、チューナ端子２６を含むチューナユニット（図示せず）から入力された信号、光ディスクドライブ２３から入力された信号、ＨＤＤ２４から入力された信号に基づいて上述のデジタル信号処理を行う。なお、チューナ端子２６は、シャーシ１０１のリアパネル１０１ａ（筐体１０の背面部）から外部へと突出している。
【００２３】
第３の基板２３は、外部（例えばテレビ）と映像信号や音声信号等の電気信号をやりとりするためのジャック類が取り付けられるジャック用基板である。なお、この第３の基板２３に取り付けられるジャック類の端子（ジャック端子）２７は、チューナ端子２６と同様に、シャーシ１０１のリアパネル１０１ａから外部へと突出している。ジャック端子２７は本発明の端子部の一例である。
【００２４】
光ディスクドライブ２４は、光ディスクの出し入れを行うためのトレイを含む。トレイの筐体１０外への突出方向は、図２の破線矢印方向である。光ディスクドライブ２４には光ピックアップ及びその駆動機構が含まれ、これらによって、光ディスクドライブ２４においては、光ディスクに記録される情報の読み取りや光ディスクへの情報の書き込みが可能となっている。
【００２５】
ＨＤＤ２５は、映像や音声等を記憶するために使用される記憶装置である。このＨＤＤ２５は、第１の基板２１の一部と重なるように、第１の基板２１の上部に配置される。
【００２６】
図３は、本実施形態に係る光ディスク装置１が備える電源カバー３０の構成を説明するための図である。図３（ａ）は、電源カバー３０を上から見た概略平面図で、図３（ｂ）は、図３（ａ）のＡ−Ａ位置における概略断面図である。なお、図３（ａ）には、理解を容易にするためにシャーシ１０１の一部も一緒に示されている。また、図３（ｂ）には、理解を容易にするために第１の基板２１も一緒に示されている。
【００２７】
図３に示すように、電源カバー３０は上カバー３１と下カバー３２との２部材で構成されている。上カバー３１及び下カバー３２はいずれも、絶縁機能を発揮するように樹脂部材となっている。上カバー３１は、断面視略Ｌ字状に設けられ、このＬ字が逆さまとなる姿勢で配置されることによって、第１の基板２１上に設けられる１次側の電源部品（図示せず）を覆う。この上カバー３１は、筐体１０のカバー（図示せず；本発明の筐体の上部に該当する）と１次側電源部品との間の電気的な絶縁を確保するために設けられている。なお、この上カバー３１は、本発明の絶縁体の一例である。
【００２８】
また、下カバー３２も断面視略Ｌ字状に設けられ、このＬ字を形成する２面のうちの一面が第１の基板２１の下側に配置される。この下カバー３２は、第１の基板２１の下側に異物が入り込まないように設けられる。上カバー３１及び下カバー３２は、２つ設けられるビス留め部３３ａ、３３ｂを利用してシャーシ１０１に固定される。
【００２９】
図４は、本実施形態に係る光ディスク装置１が備える電源カバー３０を構成する上カバー３１について説明するための図で、図４（ａ）は上カバー３１の概略斜視図、図４（ｂ）は上カバー３１の概略側面図である。なお、図４（ａ）は、上カバー３１に、ファンとモータが一体化されたファンモータ３４が取り付けられた状態を示し、図４（ｂ）は、上カバー３１にファンモータ３４が取り付けられていない状態を示している。
【００３０】
図３及び図４に示すように、上カバー３１は、シャーシ１０１のリアパネル１０１ａと対向する側面に、ファンモータ３４が取り付けられるファンモータ取付部３１ａを有する。ファンモータ取付部３１ａには、ファンモータ３４を上カバー３１にビス留めするための２つのビス孔３１１と、ファンモータ３４の位置決めに利用される２つの突起部３１２と、が形成されている。２つのビス孔３１１と、２つの突起部３１２とは、ファンモータ３４の外形が平面視略矩形状に設けられることに対応して、それぞれ対角線状に配置されている。なお、２つのビス孔３１１と２つの突起部３１２とは、異なる対角線状にある。
【００３１】
上カバー３１が１次側電源部品を覆ってシャーシ１０１に対して固定された状態で、上カバー３１に取り付けられるファンモータ３４は、ファンの回転軸となる軸部がリアパネル１０１ａ（のパネル面）と略直交する姿勢となる。また、この状態で、ファンモータ３４は、所定の間隔ｄの隙間Ｓをあけて、リアパネル１０１ａに対向配置される。
【００３２】
図５に示すように、リアパネル１０１ａのファンモータ３４と対向する位置には、複数の排気孔１０１ｂが形成されている。すなわち、ファンモータ３４の駆動により、電源部Ｐ等で発生した熱が筐体１０内から筐体１０外へと排気できるようになっている。ただし、リアパネル１０１ａと上カバー３１（の側面）との間の距離が大きすぎるとファンモータ３４による熱の排気が不十分となるので、熱の排気ができるようにリアパネル１０１ａと上カバー３１との距離の設定には注意が必要である。なお、図５は、本実施形態に係る光ディスク装置が備えるシャーシ１０１のリアパネル１０１ａに設けられる排気孔１０１ｂの構成を示す概略図である。
【００３３】
本実施形態のように樹脂で形成される上カバー３１にファンモータ３４を取り付ける構成の場合、ファンモータ３４の駆動に伴う振動が上カバー３１で吸収されてリアパネル１０１ａへと伝わり難くなる。このために、光ディスク装置１の薄型化に伴いファンモータ３４が小型化されて高速回転で使用されるようになっても、リアパネル１０１ａの振動に伴う騒音の発生は抑制できる。ここで、前述の騒音は、振動するリアパネル１０１ａと端子部（ジャック端子２７等）との触れ合いによって発生するものを指している。
【００３４】
なお、従来の光ディスク装置では、筐体の薄型化の要求がそれほど大きなものではなかったために、ファンモータをそれほど小型化する必要はなかった。この場合、ファンモータを低速回転させても十分に冷却効果を得られ、ファンモータを直接リアパネル１０１ａに取り付けてもリアパネル１０１ａの振動による上述の騒音問題が発生することはなかった。また、従来の光ディスク装置では、ファンモータの高さ方向のサイズが、上カバー３１（電源カバー３０を構成する）の高さ方向のサイズよりも大きかったために、上カバー３１にファンモータを取り付けることはできず、また、そのような発想も全くなかった。このような状況下、筐体１０の薄型化の要求に対応すべく、本発明が適用された実施形態の光ディスク装置１は開発されたものである。
【００３５】
本実施形態の光ディスク装置１では、ファンモータ３４の騒音対策としてファンモータ３４用のホルダを別部材として導入する必要がない。この意味で、本実施形態の光ディスク装置１は低コストで騒音対策が可能と言える。
【００３６】
また、本実施形態のように筐体１０内部の上カバー３１にファンモータ３４を取り付ける構成の場合、ファンモータ３４のビス留めが筐体１０内部で行われることになる。このために、ユーザが誤ってファンモータ３４を取り外してしまうことがなく、本実施形態の光ディスク装置１信頼性が高いといえる。
【００３７】
また、本実施形態のように筐体１０内部の上カバー３１にファンモータ３４を取り付ける構成の場合、ファンモータ３４が直接リアパネル１０１ａに取り付けられる場合に比べて、リアパネル１０１ａへのコネクタ等の取り付けが行い易くなる等の作業上の利点もある。
【００３８】
（その他）
以上に示した実施形態は本発明の一例であり、本発明のＡＶ機器の構成は以上に示した構成に限定されるものではない。
【００３９】
例えば、以上に示した実施形態では、ファンモータ３４とリアパネル１０１ａとの間には隙間Ｓを設けた。しかし、場合によっては、この隙間Ｓはなくしても構わない。この場合でも、樹脂で形成される上カバー３１によってファンモータ３４で発生する振動が吸収され、リアパネル１０１ａに発生する振動を抑制可能である。
【００４０】
また、以上に示した実施形態では、ファンモータ３４が上カバー３１にネジ留めされる構成とした。しかし、本発明はこの構成に限定されるものではない。すなわち、ファンモータ３４は、場合によっては上カバー３１にはめ込め式で固定されてもよい。
【００４１】
また、以上に示した実施形態では、電源カバー３０が上カバー３１と下カバー３２との２部材に分かれる構成とした。しかし、この構成に限定されず、場合によっては、電源カバー３０を断面視略コの字状として、１つの部材で構成しても構わない。ただし、本実施形態のように２部材とした方が、ファンモータ３４の取付部を設け易い等の利点があり、本実施形態の構成が好ましい。
【００４２】
また、以上に示した実施形態では、本発明が光ディスクの再生及び記録を行える光ディスク装置に適用される場合を示した。しかし、本発明の適用範囲はこれに限らない。例えば、光ディスクの再生のみ、或いは、光ディスクの記録のみを行える光ディスク装置にも適用可能である。また、本発明は、ファンモータの駆動に伴うリアパネルにおける騒音対策が必要な他のＡＶ機器にも広く適用可能である。
【産業上の利用可能性】
【００４３】
本発明は、例えば光ディスクレコーダや光ディスクプレーヤといった光ディスク装置に好適である。
【符号の説明】
【００４４】
１  光ディスク装置（ＡＶ機器）
１０  筐体
２７  ジャック端子（端子部）
３１  上カバー（絶縁体）
１０１  シャーシ
１０１ａ  リアパネル（筐体の背面部）
３１１  ビス孔
３４  ファンモータ
Ｐ  電源部
Ｓ  隙間
【図１】
2012238351.tif 000003
【図２】
2012238351.tif 000004
【図３】
2012238351.tif 000005
【図４】
2012238351.tif 000006
【図５】
2012238351.tif 000007